(57)【要約】      （修正有）【課題】簡易な構造でありながら、球状に開けば美麗なポンポンが得られ応援グッズ等として最適であり閉じれば団扇として使用できると共に、立体的な装飾品あるいは装飾雑貨や記念品、広告媒体等の広い範囲で使用できる付加価値の高い折り畳みポンポンを提供する。【解決手段】複数の短冊状の薄片２１、２２と、薄片を固定した連結片３０と、連結片を多数重ねて取り付けた把手１０とからなり、２個の把手１０を互いに回動自在に連結する。【選択図】図１
0003176453.tif 000002
【実用新案登録請求の範囲】
【請求項１】
複数の短冊状の薄片と、前記薄片を固定した連結片と、前記連結片を多数重ねて取り付けた把手とからなり、前記２個の把手を互いに回動自在に連結し、前記２個の把手を閉じると前記薄片が重なり平板状となり、前記２個の把手を１８０度ずつ開くと前記薄片の間隔が開き球状となることを特徴とする折り畳みポンポン。
【請求項２】
前記薄片と連結片を別体に構成し、２枚の薄片を約６０度の角度で固定した連結片と、３枚の薄片を約６０度の角度で固定した連結片とを複数構成し、前記連結片に、前記薄片と薄片の両側に沿って接着部を構成し、前記各々の連結片を交互に重ねて、前記接着部によって接着固定したことを特徴とする請求項１記載の折り畳みポンポン。
【請求項３】
前記薄片と連結片を一体に構成し２枚の薄片を約６０度の角度で設けた連結片と、３枚の薄片を約６０度の角度で設けた連結片とを複数構成し、前記連結片に、前記薄片の先端形状を延長した線に沿って接着部を構成し、前記各々の連結片を交互に重ねて、前記接着部によって接着固定したことを特徴とする請求項１記載の折り畳みポンポン。
【請求項４】
前記連結片の間に装飾体を固定すると共に、前記把手の表面に、イベントや商品や宣伝文句あるいはスターの写真を表示した、ことを特徴とする請求項１乃至３記載の折り畳みポンポン。
【考案の詳細な説明】
【技術分野】
【０００１】
本考案は、野球等のスポーツの応援あるいはパレード等に広く使用されている多数のリボンの結束体である折り畳みポンポン関するものである。
【背景技術】
【０００２】
従来よりポンポンの構造に関して、例えば特許文献１記載の発明が提案されていた。この発明は、細長いテープの中央をこの長手方向を軸とした軸回りに捻る捻り、この捻ったもの複数を、前記長手方向を同じ方向にして結束し、この結束したもの複数を、前記結束の軸方向を変えることで立体的に結束したポンポンの構造と製造方法に関するものである。
【先行技術文献】
【特許文献】
【０００３】
【特許文献１】特開２００７−７７５２０号公報
【０００４】
前記特許文献１記載の発明によれば、テープを捻るのは、結束が未だされていないテープを一枚ずつ捻ればよく、楽にできる。また、二つの結束工程も、捻ったり引っ張ったりする必要がない。このため、製造作業の時間と労力が節約できる。また、テープを捻るのは、結束が未だされていないテープの中央のみを一枚ずつ捻ればよく、テープの両端には、捻ったり引っ張ったりする必要がないので、テープにしわがよりにくく見栄えの良いポンポンが提供できるという効果がある。
【考案の概要】
【考案が解決しようとする課題】
【０００５】
しかし、前記特許文献１記載の発明において、薄いプラスチックフィルムからなる短冊状のリボンを端部を揃えて、その中央部分で結束して捻じる作業及びその捻じった複数のものを全体を揃えて同じ方向にして結束するのも手間のかかる仕事であり、ある程度の熟練が要求された。
また、この発明のポンポンは、単に従来のポンポンとしての働きしかなく、宣伝等の付加価値を有するものではなかった。
【０００６】
本考案は前記の従来例の課題を解決したもので、簡易な構造でありながら、球状に開けば美麗な折り畳みポンポンが得られ応援グッズ等として最適であり閉じれば団扇として使用できると共に、立体的な装飾品あるいは装飾雑貨や記念品、広告媒体等の広い範囲で使用できる付加価値の高い折り畳みポンポンを提供することを目的とする。
【課題を解決するための手段】
【０００７】
請求項１に記載の考案は、複数の短冊状の薄片と、前記薄片を固定した連結片と、前記連結片を多数重ねて取り付けた把手とからなり、前記２個の把手を互いに回動自在に連結し、前記２個の把手を閉じると前記薄片が重なり平板状となり、前記２個の把手を１８０度ずつ開くと前記薄片の間隔が開き球状となる折り畳みポンポンである。
【０００８】
請求項２に記載の考案は、前記薄片と連結片を別体に構成し、２枚の薄片を約６０度の角度で固定した連結片と、３枚の薄片を約６０度の角度で固定した連結片とを複数構成し、前記連結片に、前記薄片と薄片の両側に沿って接着部を構成し、前記各々の連結片を交互に重ねて、前記接着部によって接着固定した折り畳みポンポンである。
【０００９】
請求項３に記載の考案は、前記薄片と連結片を一体に構成し、２枚の薄片を約６０度の角度で設けた連結片と、３枚の薄片を約６０度の角度で設けた連結片とを複数構成し、前記連結片に、前記薄片の先端形状を延長した線に沿って接着部を構成し、前記各々の連結片を交互に重ねて、前記接着部によって接着固定した折り畳みポンポンである。
【００１０】
請求項４に記載の考案は、前記連結片の間に装飾体を固定すると共に、前記把手の表面に、イベントや商品や宣伝文句あるいはスターの写真を表示した折り畳みポンポンである。
【考案の効果】
【００１１】
請求項１記載の折り畳みポンポンによれば、複数の短冊状の薄片を連結片を用いて連続的に取り付けた把手を２個構成したから、ポンポンとして使用するときは把手を１８０度ずつ開くことで、複数の薄片が均等に開き全体として美麗な球状を呈するのである。また把手を閉じて二つ折りにすると前記薄片が重なり平板状となり、持ち運びに便利であり、かつ団扇として使用できると共に、テーブル上に１８０度開いて装飾品として使用できる。
また、薄片の長さ、形状等を変えることで、様々なキャラクターの形あるいは立体の形を得られる。
【００１２】
請求項２記載の折り畳みポンポンによれば、前記薄片と連結片を別体に構成し、２枚の薄片を固定した連結片と、３枚の薄片を固定した連結片とを複数構成し、前記各々の連結片を交互に重ねて接着部によって接着固定したから、薄片が重なり合うことが少なくなり均等に配置されることとなるため、開くと美麗な球状となり、閉じると均整のとれた扇形を呈するのである。
【００１３】
請求項３記載の折り畳みポンポンによれば、前記薄片と連結片を一体に構成したから、前記請求項２の効果に加えて、製作が容易であるという効果を奏する。
【００１４】
請求項４記載の折り畳みポンポンによれば、前記請求項１の効果に加え、連結片の間に装飾体を固定し、把手の表面にスターの写真、イベントや商品の宣伝文句を表示したことで意外性に富み、広告宣伝効果に優れたものとなる。
【図面の簡単な説明】
【００１５】
【図１】本考案の実施形態１の折り畳んだ状態の正面図
【図２】本考案の実施形態１の薄片の取り付け状態を示す分解図
【図３】本考案の実施形態１の開いた状態の正面図
【図４】本考案の実施形態１のポンポンとしての使用態様図
【図５】本考案の実施形態１の薄片と連結片の関係を示す模式図
【図６】本考案の薄片と連結片の他例を示す正面図
【図７】本考案の実施形態２の折り畳んだ状態の正面図
【考案を実施するための形態】
【００１６】
本考案の実施形態１の折り畳みポンポンを図面に基づいて説明する。
折り畳みポンポン１は、２個の半円形部１ａからなり片手で持てる程度の大きさである。この半円形部１ａは、図１に示すように半円形状の固定部１１の上部に掴み部１２を構成した把手１０と、この把手１０の裏面に連結片３０、３１、３２・・を介して重ね合わせるように取り付けられた多数の薄片２１、２２、２３・・とからなり、全体として正面視扇形を呈している。
前記固定部１１と掴み部１２は紙製であるが、材質またはその形状はこれ以外のものを採用できる。
【００１７】
図２に多数の薄片の一部を示す。薄片２１、２２、２３、２４はペットフイルム製であり、幅５ｃｍ、長さ１０ｃｍ程度の長方形で短冊状であり、一端の両側を切り取り鋭角部２１ａ、２２ａ、２３ａ、２４ａを構成している。
この薄片の大きさと材質あるいは形状、個数は任意に決定できるが、材質はある程度腰のある合成樹脂製のフイルムが好ましい。
【００１８】
また、前記固定部１１よりわずかに小さい半円形状のペットフイルムからなる連結片３０、３１、３２、３３、３４を用意する。このうち連結片３０は、固定部１１の裏面１１ｂ上に貼着しておく。
【００１９】
本実施形態の半円形部１ａの作り方を図２に基づいて説明する。
前記短冊状の２枚の薄片２１を連結片３１に固定して、この連結片３１を前記連結片３０上に固定する。
このとき、２枚の薄片２１の鋭角部２１ａの先端が固定部１１の裏面１１ｂの中点Ｃで突き合うように連結片３１上に固定する。これによって、２枚の薄片２１は中点Ｃを中心に約６０度の角度で放射状に固定される。
図２、図５に示すように、連結片３１は、薄片２１と薄片２１の間と、薄片２１の鋭角部２１ａの両側に沿って接着部３１ａを構成し、この部分を接着して連結片３０の上に固定する。
【００２０】
次いで、３枚の薄片２２を、前記薄片２１と同様に中点Ｃを中心に放射状になるように等間隔に連結片３２に固定してから、連結片３２を連結片３１の上に重ねて固定する。
【００２１】
このとき３枚の薄片２２は、図１に示すように、それぞれ前記薄片２１，２１の中間と両側に位置し、各薄片２２が薄片２１，２１の間から見えるように重ねて固定する。
【００２２】
また、図２、図５に示すように、連結片３２は薄片２２と薄片２２の間に沿って接着部３２ａ，３２ａを構成し、この部分を用いて連結片３１の上に接着固定する。この接着部３２ａ，３２ａは、前記薄片２１，２１の長手方向の中心線にあたる部分に位置している。
なお、以下に述べる連結片３３、３４もこれと同様に、それぞれに構成した接着部３３ａ、３４ａによって連結片３２、３３に固定する。
【００２３】
次いで、前記連結片３２の上に、２枚の薄片２３を接着した連結片３３を重ねて固定する。このときも前述のように、２枚の薄片２３を３枚の薄片２２の間から見えるように重ねる。
【００２４】
さらに、前記連結片３３の上に、３枚の薄片２４を接着した連結片３４を、２枚の薄片２３の間から見えるように重ねる。
【００２５】
このように、２枚と３枚の薄片を交互に重ねていくが、互いに重なり合う部分を少なくして、薄片の間から上に重ねた薄片が見えるようして重ねていく。その結果、薄片２１、２２、２３、２４は把手１０に固定されて、正面視扇形を呈する半円形部１ａを構成する（図１参照）。
【００２６】
前記半円形部１ａを２個作り、固定部１１の下端の連結手段である紐１３で互いに回動自在に連結する（図３参照）。また、２個の半円形部１ａの最上層の薄片２４同士も互いの接着部で連結する。
【００２７】
上記のように構成した実施形態１の作用を説明する。
ポンポンとして使用するときは、掴み部１２，１２を掴んで把手１０，１０を１８０度回転して、把手１０，１０の表面同士を合せて球状にして持つ（図４参照）。
【００２８】
このとき重ね合わされた連結片３１、３２、３３、３４は、その接着部３１ａ、３２ａ、３３ａ、３４ａで連続して接続されていて、他の部分は接続していない。そのため、把手１０，１０の回動に伴い連結片が引っ張られると、連結片３０は固定部１１に固定されているから、他の連結片３１、３２・・は接着部３２ａ、３３ａ・・によって図５の矢印方向に引っ張られる。
【００２９】
その結果、連結片３１、３２・・同士の間隔が開いていくが、前述のように連結片の接着部は、一段下層の連結片に固定した薄片の長手方向の中心線にあたる部分に位置しているため、接着部３２ａが薄片２１を、接着部３３ａが薄片２２を、接着部３４ａが薄片２３を、それぞれ引っ張る形となり、薄片２１、２２・・が矢印方向へ効率よく広がっていくのである。
【００３０】
本実施形態では、４層の薄片２１〜２４だけを図示したがこれに限定されるものではなく、通常は１個の半円形部１ａに薄片を１０層あるいはそれ以上重ねるため、図４のようにポンポンとした場合には、全体として多数の薄片が球状を呈するので華やかな効果を奏するのである。
【００３１】
また、団扇として使用するときは、前記と反対に折り畳みポンポン１の把手１０，１０を閉じると薄片２１、２２・・が重なり平板状となるので、固定部１１，１１の表面１１ａ，１１ａを指で掴んであおげばよい。これによって、薄片２１、２２・・がひらひらと揺れて風を送ってくるため団扇の役目を果たすのである。これは暑い季節やスポーツ観戦の際などに有効である。
【００３２】
前記実施形態では、薄片２１と連結片３１を別体に作成して重ねて構成したが、図６に示す他例では、薄片５１と連結片６１を一体に構成した。
即ち、図６（Ａ）において、前記連結片３１と同形状の連結片６１の上部の円弧部の中心から対称位置に２枚の薄片５１を略６０度の角度で構成してある。この薄片５１は前記薄片２１の鋭角部２１ａの先端を円弧状に切り取ったものと同形状であり、これを連結片６１の上部の円弧部に取り付けた形状である。
符号６１ａは接着部であり、薄片５１の先端形状５１ａを延長した線５１ｂに沿って設けられている。
【００３３】
図６（Ｂ）は、薄片５２が３枚の場合を示し、連結片６２に略６０度の角度で等間隔に取り付けられている。符号６２ａは接着部であり、薄片５２を先端形状５２ａを延長した線５２ｂに沿って設けられている。このように接着部６１ａ、６２ａを設けたため、薄片５１、５２と連結片６１、６２は前記実施形態１の薄片及び連結片と同様の作用、効果を奏するのである。
前記薄片５１と連結片６１、薄片５２と連結片６２が一体になったものを多数重ね合わせて図１のような半円形部１ａを構成するのである。
この例では、前記実施形態の効果に加えて、製作が容易であるという効果を奏する。
【００３４】
さらに図示はしないが、把手１０の表面にスポンサーの宣伝や写真、ロゴなどを記載することもできる。また、歌手などのスターのワンマンショー等で使用する際には、当該スターの写真などを貼付することもでき、いずれもその場の雰囲気を盛り上げるのに有効である。また、サッカー野球などのスポーツの応援では、応援するチームのロゴや選手の写真などを記載すれば、使用後も記念の品となる。
【００３５】
図７に本考案の実施形態２を示す。
この実施形態は、前記のように構成した半円形部１ａの連結片３１、３２・・の間に、装飾体４０を挟み込んで固定したものである。これによれば半円形部１ａを閉じた状態では、装飾体４０は上方の一部しか見えないが、開いてポンポンとしたときに装飾体４０が見えるため、意外性に富み、興趣につきない。この装飾体としては、キャラクターやクリスマスツリー等、切り方によって形状を変えて変化をもたせることができる。
【００３６】
上述の説明のように、各実施形態の効果は次の通りである。
（１）コンサート会場、スポーツ観戦等への携帯に便利であり応援グッズとして便利である。また、コンサート会場等が暑いときは折りたたんで団扇として使用することができる。
（２）別体に構成したペンライトを使って薄片を内部よりライトアップすることでイルミネーション効果も楽しめる。
（３）薄片の長さ、形状あるいは個数を色彩を変えることで、ポンポンにしたときに様々なキャラクターの形あるいは３Ｄ（立体）の形になる。また団扇にしたときもシルエットが楽しめる。
（４）ダンスやチアをする際の道具として利用できる。
（５）パーティ会場、ホームパーティではテーブル上に１８０度開いて造花のように使用できる。片付けも簡単である。また立体的なウエルカムボード、壁に飾る装飾品やクリスマスツリーとしても使用できる。
（６）包装、ラッピングする際に使用でき１８０度開くと造花のようなオーナメントあるいは装飾雑貨となる。
（７）また把手等へ写真やプリントを入れることで記念品として使用でき、寄せ書き、グリーティングカードにも使用できる。ＳＰツール、プレミアム、イベントでの記念品としての利用ができる。
さらに薄片に印刷することで広告媒体ともなる。
【符号の説明】
【００３７】
１  折り畳みポンポン      １ａ  半円形部
１０  把手
１１  固定部                １２  掴み部
２１、２２、２３、２４、５１、５２  薄片
２１ａ、２２ａ、２３ａ、２４ａ      鋭角部
３０、３１、３２、３３、６１、６２  連結片
【図１】
0003176453.tif 000003
【図２】
0003176453.tif 000004
【図３】
0003176453.tif 000005
【図４】
0003176453.tif 000006
【図５】
0003176453.tif 000007
【図６】
0003176453.tif 000008
【図７】
0003176453.tif 000009